(57)【要約】【課題】通行案内用看板を走行車両から見易くする。【解決手段】この発明の看板は、枠内に通行案内用の表示板８を収納した看板枠４，６に道路又は通路近傍に配置された他の配置物に着脱可能に且つ固定的に取付ける取付機構３を設けており、配置物が、通行案内又は規則用の配置物であり、看板枠４，６の下部に設けた取付機構３を介して配置物の上部に取付け、例えば、配置物はガードレール２，フェンス，パイプバリケード，スタンド付の立看板３６，鉄製又はコンクリート製の擁壁３０のいずれかであり、取付機構３を上記配置物に適合させた機構としている。【選択図】図１
2020097828.tif 000002
【特許請求の範囲】
【請求項１】
枠内に通行案内用の表示板（８）を収納した看板枠（４），（６）に道路又は通路近傍に配置された他の配置物に着脱可能に且つ固定的に取付ける取付機構（３）を設けてなる搭載型の通行案内用看板。
【請求項２】
配置物が、通行案内又は規則用の配置物であり、看板枠（４），（６）の下部に設けた取付機構（３）を介して配置物の上部に取付ける請求項１に記載の搭載型の通行案内用看板。
【請求項３】
取付機構（３）内に配置物の上方に被せた状態で取付機構を固定する締付機構（３）を備えてなる請求項１又は２に記載の搭載型の通行案内用看板。
【請求項４】
配置物がガードレール（２），フェンス，パイプバリケード，スタンド付の立看板（３６），鉄製又はコンクリート製の擁壁（３０）のいずれかであり、取付機構（３）を上記配置物に適合させた機構とした請求項３に記載の搭載型の通行案内用看板。
【請求項５】
看板枠（４），（６）を構成する枠材の一部を開放端とすべく着脱可能に取付け、上記開放端側より表示板（８）を差込挿入する請求項１〜４のいずれかに記載の搭載型の通行案内用看板。
【請求項６】
看板枠（４），（６）が配置物に取付けられる外枠（４）と外枠（４）内に収容され表示板（８）を収容保持する内枠（６）とからなる請求項１〜５のいずれかに記載の搭載型の通行案内用看板。
【請求項７】
内枠（６）を外枠（４）に対して回動調節することにより、表示板（８）の取付角度を調節可能に取付けてなる請求項６に記載の搭載型の通行案内用看板。
【請求項８】
内枠（６）とともに角度調節された表示板（８）の角度を、外枠（４）に対してロックするロック装置（１７）を設けてなる請求項７に記載の搭載型の通行案内用看板。
【発明の詳細な説明】
【技術分野】
【０００１】
この発明はガードレールその他の通行規制用又はスライド式立看板等の通行案内用に道路や通路の近傍の配置物の主として上部に取付けられ、より高い位置で表示される搭載型の通行案内用看板に関する。
【背景技術】
【０００２】
従来例えば特許文献１に示される矢印看板（表示板）又は特許文献２に示すような交通案内用看板が広く用いられている。
【先行技術文献】
【特許文献】
【０００３】
【特許文献１】実用新案登録第３１９１５１４号公報
【特許文献２】実用新案登録第３２１３９２１号公報
【発明の概要】
【発明が解決しようとする課題】
【０００４】
上記特許文献のものはいずれも自立型の山形断面又は折畳みスタンド付の看板であるが、人や車両が通行する通路や道路内に配置すると、通路や道路のスペースを取ることが多く通行の妨げになるほか、突風やあおり風等で看板が転倒して通行の妨げ又は危険要因になる。またドライバー（特にトラックの）にとっては自立型の看板は目線より低位置になるため視認し辛い等の問題がある。
【課題を解決するための手段】
【０００５】
上記課題を解決するための本発明の看板は、第１に枠内に通行案内用の表示板８を収納した看板枠４，６に道路又は通路近傍に配置された他の配置物に着脱可能に且つ固定的に取付ける取付機構３を設けてなることを特徴としている。
【０００６】
第２に、配置物が、通行案内又は規則用の配置物であり、看板枠４，６の下部に設けた取付機構３を介して配置物の上部に取付けることを特徴としている。
【０００７】
第３に、取付機構３内に配置物の上方に被せた状態で取付機構を固定する締付機構３を備えてなることを特徴としている。
【０００８】
第４に、配置物がガードレール２，フェンス，パイプバリケード，スタンド付の立看板３６，鉄製又はコンクリート製の擁壁３０のいずれかであり、取付機構３を上記配置物に適合させた機構としたことを特徴としている。
【０００９】
第５に、看板枠４，６を構成する枠材の一部を開放端とすべく着脱可能に取付け、上記開放端側より表示板８を差込挿入することを特徴としている。
【００１０】
第６に、看板枠４，６が配置物に取付けられる外枠４と外枠４内に収容され表示板８を収容保持する内枠６とからなることを特徴としている。
【００１１】
第７に、内枠６を外枠４に対して回動調節することにより、表示板８の取付角度を調節可能に取付けてなることを特徴としている。
【００１２】
第８に、内枠６とともに角度調節された表示板８の角度を、外枠４に対してロックするロック装置１７を設けてなることを特徴としている。
【発明の効果】
【００１３】
以上のように構成される本発明の通行案内用看板によれば、次のような効果を奏する。
（１）看板が取付機構により、例えばガードレール，フェンス，パイプバリケード，擁壁スタンド式の看板等のように比較的固定性の高い通路近傍の配置物に取付けられるので、看板独自の面積スペースの必要がなく、固定性も良いので突風や大型自動車等の風圧で転倒したり移動したりすることを抑制できる。またこれらの配置物の上部に取付けることにより、ドライバーの目線近く又はそれ以上の高さになり視認が容易になる。
【００１４】
（２）看板枠の外周の一部が開放端となるように枠材の一部を着脱可能に取付けることにより、例えば発光式看板のバッテリーや充電器等が表示板の裏面に取付けられていても自由に挿脱できる利点がある。
【００１５】
（３）固定的に取付けられた外枠に対して、表示板を収容した内枠の取付角度を調節可能にしたことにより、表示板を通行人やドライバーが最も見易い角度に調節し、この角度をロック装置によりロックすることによって常に最も視認性の高い状態を保持することができる。
【図面の簡単な説明】
【００１６】
【図１】本発明看板の取付状態を示す正面斜視図である。
【図２】看板の背面斜視図である。
【図３】（Ａ），（Ｂ）は外枠に対する内枠の角度調節状態と非調節状態及びそれらのロック装置を示す平面と背面図である。
【図４】（Ａ）は内枠における表示板の差込及び開放端側の枠材の取付方法を示す正面図、（Ｂ）は取付枠材の側面図、（Ｃ）は内枠と取付枠材の取付状態を示す背面図である。
【図５】内枠の表示板差込側の一部断面拡大側面図である。
【図６】内枠の取付枠材の取付構造を示す一部断面拡大正面図である。
【図７】外枠をガードレールに取付けた状態の取付機構を示す側面図である。
【図８】外枠に定置用の脚を取付けた状態の拡大側面図である。
【図９】外枠に取付機構として単管クランパーを取付け、単管を用いたバリケードや柵類に取付ける状態を示している。
【図１０】外枠に万力型の取付機構を装備し、コンクリート擁壁に取付けた状態を示す拡大側面図である。
【図１１】本発明の看板をスタンド付の立看板上に取付けた状態の側面図である。
【図１２】同じく看板をスタンド付の看板上に取付けた一部正面図である。
【発明を実施するための形態】
【００１７】
図１，２は本発明の案内用看板１で、主にガードレール２に取付けるのに適した取付機構３を備えた形態の正面と背面の斜視図であり、図３〜図７は同一の実施形態を示す。案内用看板１は、長方形の外枠４と該外枠４内に納まる内枠６とを備え、枠材はいずれも四角形断面のアルミ押出成形パイプにより組付構成されており、また両枠４，６は互に重ね合わされた状態で上下枠材の幅方向の中心位置で上下方向の回動支点１０において外枠４に対し内枠６が水平方向に回動調節可能に軸支されている。
【００１８】
内枠６は図５，図６に示すように、右側の枠材６ａを取外すことによって右側が開放端となり、枠体の上下枠材６ｂには、周面と正面を覆う押えカバー７が取付けられ、この押えカバー７は周面カバー部７ａが上下の枠材６ｂの周面側を覆い、正面カバー部７ｂが上下の枠材６ｂの正面側を覆うように直角方向に連続した山形断面に形成されたアルミ押出材からなっている（このアルミ押出材自体は実用新案登録第３２１３９２１号公報等により公知である。）。そして正面カバー部７ｂの先端は上下の枠材６ｂの正面との間に一定の間隙Ｓを形成して、この間隙Ｓが、右方向から表示板８を差込む差込スペースＳとなっている。
【００１９】
表示板８は通行案内用の夜間に反射性の優れた表示部材よりなる表示物（この例では矢印）９が表示されたアルミ裏打材等からなり、内枠６の右枠材６ａを取外した状態で図４（Ａ）に示すように上記差込スペースＳに右方向から差込挿入する。断面構造は図示しないが、内枠６の左側枠材６ｃと右側枠材６ａも上下の枠材６ｂと同様の押えカバーを取付けており、表示板８の差込スペースＳを備えている。このため、図４（Ａ）のように表示板８を差込んだ後、右枠材６ａを上下枠材６ｂに取付固定すると表示板８は四方を押えカバー７の正面カバー部７ｂでその周縁を覆われた状態の枠内に収納されることになる。
【００２０】
左枠材６ａの上下端背面にはフォーク状に切割加工された取付プレート１１が内向きに固着され、その取付プレート１１は図４（Ａ）の状態から、図４（Ｃ）の状態に上下の枠材６ｂの左端に押接され、上下枠材６ｂの背面側でねじ１２により止められることにより、固定される。１３は上下枠材６ｂの左右両端で、周面カバー部７ａの開口部に差込まれ、右枠材６ａの上下の開口部を塞ぐプラスチック製のキャップ、１６はバーリングナット部である。
【００２１】
上記表示板８の差込時において、内枠６の右側は開放端になっているので、図５に示すように仮にＬＥＤ等の点灯により発光する表示板の場合に、ソーラー充電器やバッテリー等の機器類１４が、表示板８の背面に突設されている場合でも、表示板８の挿脱には差支えない。
【００２２】
上記内枠６の背面側には図２，図３に示すような内枠６の回動に対する規制とロックを行うロック機構１７が取付けられており、このロック機構１７は内枠６の下枠材６ｂの背面に突設されたアングル状の可動プレート１７ａ，可動プレート１７ａの平板プレート下で水平方向に対向して下部の外枠４の下枠材背面に突設した固定プレート１７ｂ，該固定プレート１７ｂの中央にねじ込まれる蝶ねじからなるセットボルト１７ｃ，可動プレート１７ａ上面に水平方向に載置され、上記セットボルト１７ｃを貫通している長方形のフリープレート１７ｄとで構成されている。
【００２３】
そして上記可動プレート１７ａの中央には一定左右幅の切欠１７ｅが設けられ、内枠６が外枠４に対し水平回動すると、上記切欠１７ｅの左右両端の一方が、セットボルト１７ｃに当接しない範囲で且つフリープレート１７ｄの前側辺が、可動プレート１７ａの縦プレート面と当接しない範囲で回動可能であり、この例ではフリープレート１７ｄの前側面が可動プレート１７ａの縦プレートの後面に当接する（図３（Ａ）の隙間αがなくなる）ことにより回動規制が行われ、ストッパーとなる。この回動範囲の規制位置又は任意の位置でセットボルト１７ｃを固定プレート１７ｂにねじ込み締着することにより、内枠６の外枠４に対する回動位置、即ち角度調整位置がセット（ロック）される。
【００２４】
上記外枠４の下辺外周には、図７で示すように、取付機構３として下部開放型の山形断面にアルミ押出成形され上辺（壁）が外枠４の下辺外周に取付けられる脚部材１８と、該脚部材１８内に挿入されたガードレール２の上端を、脚部材１８の前壁内面に押接する押しボルト１９とを備えており、押しボルト１９は脚部材１８の後壁内に突設されたバーリングナット２０に内向きにねじ込まれている。２１，２２は脚部材１８の前後壁に下側から被せられたゴム又はプラスチック製のラバーである。
【００２５】
上記のように例えば道路脇のガードレール２に沿ってその上部に看板１を取付固定すると、枠体４，６はガードレール２、即ち車両の走行方向に沿って直立状態で取付けられるが、内枠６を図１のように時計方向に回動調節して、進行方向に対して傾斜させることにより、ドライバーは接近位置の前方からでも看板の表示内容を視認でき、しかもガードレールより高い位置にあるため、ドライバー目線と略同一の高さで見ることができる。
【００２６】
図８は図１〜図７で示した看板１を、床面に沿って配置する棒状の接地部材２３に取付ける例を示しており、この例では複数本の接地部材２３を平行に並べてその上部にアングル状のビーム材２２を固定的に架設して設け、アングル状部材の縦壁に前記脚部材１８の後壁をボルト１９で締着する場合を示している。２４は脚部材２３の両端に被せたラバー部材である。この機構により看板１は床面上に配置することも可能である。
【００２７】
図９は取付機構３として看板１の外枠４の下部に複数の単管クランプを取付けた例を示し、単管クランプは周知のように固定本体２６に対して押え爪２７を開閉回動可能に軸支し、固定本体２６の他方の端部に軸支した締付ボルト２８を押え爪２７の回動端に挿通してナット２９で、単管クランプ内のパイプを締付け固定するものである。看板１を取付ける対象物は限定されないが、単管で組立構成される足場や柵類，棚類のほか、パイプバリケード，アルミ管その他の材料よりなるフェンス類にも取付が可能である。また締付ボルト２８を長寸のものにすることにより、広範囲のパイプ材や棒材の径の大小に対応できる。
【００２８】
図１０はコンクリート擁壁３０に対して、その上部に万力状の締付機構を介して看板１を取付けた例を示し、この例では、図８で用いたアングル状断面のビーム材２２を、平行に並べた複数個の万力本体３１の背面に固着して、万力本体３１のＣ型の開放端を、擁壁３０の上端に被せ、スリーブナット３３に内向き挿通された締付ボルト３２により看板１を擁壁３０上に取付けている。その他の取付機構３は図８に示した例と共通している。
【００２９】
図１１，図１２は看板１の下端に取付けた取付機構３を介して、接地枠３４と背面支持杆３５からなる折畳み開閉可能なスタンド付で傾斜自立させた立看板３６の上に、看板１を略直立させて取付けた例を示している。背面支持杆３５は接地枠３４と立看板３６との間で一端を回動可能に軸支し、他端を可能に係止する公知の機構を構成している。この例では、前述した看板１の外枠４の下端両側に、内向きにチャンネル状断面の本体部材３７を対向させて固着している。
【００３０】
上記本体部材３７は立看板３６の傾斜角に略沿って前後傾斜しており、これに対し看板１の枠体は側面視で直立している。そして上記本体部材３７の正面側よりねじ込まれる締着ボルト３８でチャンネル状断面内部の立看板３６の両枠材を押付け固定するものである。この場合の締付機構もその断面構造は万力型の機構である。上記のように看板１は直立しているので、ドライバーや通行人の視認が容易である。
【符号の説明】
【００３１】
１    看板
２    ガードレール
３    取付機構
４    外枠
６    内枠
８    表示板
１０    回動支点
１７    ロック装置
３０    擁壁
３６    立看板
【図１】
2020097828.tif 000003
【図２】
2020097828.tif 000004
【図３】
2020097828.tif 000005
【図４】
2020097828.tif 000006
【図５】
2020097828.tif 000007
【図６】
2020097828.tif 000008
【図７】
2020097828.tif 000009
【図８】
2020097828.tif 000010
【図９】
2020097828.tif 000011
【図１０】
2020097828.tif 000012
【図１１】
2020097828.tif 000013
【図１２】
2020097828.tif 000014